(57)【特許請求の範囲】
【請求項１】
移動通信ネットワークにデータを送信する、または前記移動通信ネットワークからデータを受信する通信デバイスであって、前記移動通信ネットワークは１つまたは複数のネットワーク要素を含み、前記１つまたは複数のネットワーク要素は前記移動通信ネットワークの複数のセルを形成し、各セルは移動通信ネットワークによってセル識別子が割り当てられ、各セルに対して前記１つまたは複数のネットワーク要素は前記通信デバイスのための無線アクセスインタフェースを提供し、前記通信デバイスは、
前記無線アクセスインタフェースを介して前記移動通信ネットワークへ前記データを表す信号を送信するように構成された送信部と、
前記無線アクセスインタフェースを介して前記移動通信ネットワークから前記データを表す信号を受信するように構成された受信部と、を備え、
前記無線アクセスインタフェースは第１のキャリアの周波数帯域にわたり、複数のフレームに時分割された複数の通信リソースエレメントを提供し、
前記１つまたは複数のネットワーク要素は、候補同期シーケンスの所定のセットの一つである同期シーケンスを、１つまたは複数の前記フレームで送信し、
前記セットからの前記同期シーケンスのそれぞれはセル識別子の指標を提供し、
前記通信デバイスは、
前記同期シーケンスの所定のセットの１つとして前記同期シーケンスを検出し、
前記検出された同期シーケンスを使用して前記セルのセル識別子の推定を計算し、
前記無線アクセスインタフェースを介して移動通信ネットワークに前記データを送信する、および／または前記移動通信ネットワークから前記データを受信するために前記セル識別子を使用するように、前記受信部と組み合わせて構成されるコントローラを含み、
前記フレーム内の前記同期シーケンスの相対的な時間的位置は、前記通信デバイスに前記セルの前記セル識別子の指標を提供し、
前記コントローラは、前記検出された同期シーケンスと組み合わせて前記同期シーケンスの前記フレーム内の前記相対的な時間的位置に基づいて、前記セル識別子の前記推定を算出するように構成され、
前記同期シーケンスは、プライマリ同期シーケンスおよびセカンダリ同期シーケンスを含み、前記セカンダリ同期シーケンスはセカンダリ同期シーケンス候補のセットの１つであり、前記セットからの前記セカンダリ同期シーケンスのそれぞれはセル識別子の複数のグループの１つを識別し、前記プライマリ同期シーケンスはセル識別子の前記グループ内の前記セル識別子を識別し、前記コントローラは、
前記セカンダリ同期シーケンスの所定のセットの１つとして前記セカンダリ同期シーケンスを検出し、
前記プライマリ同期シーケンスを検出し、
前記識別されたプライマリ同期シーケンスと前記識別されたセカンダリ同期シーケンスの組み合わせから前記セル識別子の推定を計算するように、前記受信部と組み合わせて構成され、
前記フレーム内の前記プライマリ同期シーケンスまたは前記セカンダリ同期シーケンスの少なくとも１つの相対的な時間的位置は、前記セルの前記セル識別子が一部を形成するセル識別子候補の前記グループの指標を前記通信デバイスに提供し、
前記コントローラは、前記プライマリ同期シーケンスまたは前記セカンダリ同期シーケンスのうち少なくとも１つの前記フレーム内の前記相対的な時間的位置と、前記検出されたプライマリ同期シーケンスおよび前記検出されたセカンダリ同期シーケンスと、の組み合わせに基づいて、前記セル識別子の推定を算出するように構成され、
前記移動通信ネットワークの前記複数のセルを提供する前記１つまたは複数のネットワーク要素は、各フレームにおいてサブフレームの１つで第１の前記プライマリ同期シーケンスを、前記サブフレームの１つで第１の前記セカンダリ同期シーケンスを送信し、前記サブフレームの他のサブフレームで第２のプライマリ同期シーケンスを、前記サブフレームの他のサブフレームでの第２のセカンダリ同期シーケンスを送信するように構成され、第２のプライマリ同期シーケンスまたは第２のセカンダリ同期シーケンスの送信時間は、前記セルに対するセル識別子の前記グループを表す前記相対的な時間的指標を提供し、第１のプライマリ同期シーケンスと第１のセカンダリ同期シーケンスは、前記複数のセルの各々に対して１つの同じサブフレームで送信され、
前記コントローラは、
前記第１のプライマリ同期シーケンスと前記第１のセカンダリ同期シーケンスを検出し、
前記第２のプライマリ同期シーケンスと前記第２のセカンダリ同期シーケンスを検出し、
前記第２のプライマリ同期シーケンスまたは前記第２のセカンダリ同期シーケンスの少なくとも一つのフレーム内の相対的な時間的位置と、前記検出された第１のプライマリ同期シーケンス、前記検出された第１のセカンダリ同期シーケンス、前記検出された第２のプライマリ同期シーケンスおよび前記検出された第２のセカンダリ同期シーケンスの少なくとも一つとの組合せに基づいて、前記セルの前記セル識別子の推定を算出するように構成される、通信デバイス。
【請求項２】
前記各フレームは複数のサブフレームに時分割され、前記同期シーケンスの前記相対的な時間的位置は、前記同期シーケンスが送信されるサブフレームである、請求項１に記載の通信デバイス。
【請求項３】
前記無線アクセスインタフェースの前記通信リソースエレメントは直交周波数分割多重OFDMシンボルのサブキャリアから形成され、前記同期シーケンスの前記相対的な時間的位置は、前記同期シーケンスが送信される前記サブフレームの１つの中の前記OFDMシンボルである、請求項１または２に記載の通信デバイス。
【請求項４】
前記無線アクセスインタフェースは、第１のキャリアに加えて通信デバイスのための通信リソースを提供する第２のキャリア（NCT）を含み、前記第１のプライマリ同期シーケンスと前記第１のセカンダリ同期シーケンスは前記１つまたは複数のネットワーク要素によって前記第１のキャリアの前記サブフレーム内で送信され、前記セルのセル識別子の前記グループを表すためにフレームで変化するよう構成された前記第２のプライマリ同期シーケンスと前記第２のセカンダリ同期シーケンスは、前記セルの前記第２のキャリア上で送信され、前記コントローラは、前記第２のキャリアから検出される前記第２のプライマリ同期シーケンスと前記第２のセカンダリ同期シーケンスの少なくとも１つの前記相対的な時間的位置と、前記第２のキャリア上で識別される前記第１のプライマリ同期シーケンスと前記第１のセカンダリ同期シーケンスとの組み合わせから前記セルの前記セル識別子の推定を計算するように構成される、請求項１から３のいずれか一項に記載の通信デバイス。
【請求項５】
前記第２のキャリアは前記第１のキャリアに同期されておらず、前記１つまたは複数のネットワーク要素は、前記第１のキャリアと同様に前記第２のキャリアの１つの同じ前記サブフレームで、および前記移動通信ネットワークの他のセルに対する前記第１のキャリアの１つの同じ前記サブフレームで、前記第１のプライマリ同期シーケンスおよび前記第１のセカンダリ同期シーケンスを送信するように構成される、請求項４に記載の通信デバイス。
【請求項６】
前記コントローラは、各セルに対する前記同期シーケンスの前記相対的な時間的位置とセル識別子の前記グループまたは前記セルのセル識別子との間のマッピングの指標を前記移動通信ネットワークから受信するように受信部と組み合わせて構成される、
請求項１から５のいずれか一項に記載の通信デバイス。
【請求項７】
前記コントローラは、各セルに対する前記同期シーケンスの前記相対的な時間的位置とセル識別子の前記グループまたは前記セルのセル識別子との間のマッピングの指標を記憶するように構成されるデータ記憶部を含む、請求項１から５のいずれか一項に記載の通信デバイス。
【請求項８】
通信デバイスによって移動通信ネットワークにデータを送信する、または前記移動通信ネットワークからデータを受信する方法であって、前記移動通信ネットワークは１つまたは複数のネットワーク要素を含み、前記１つまたは複数のネットワーク要素は前記移動通信ネットワークの複数のセルを形成し、各セルは移動通信ネットワークによってセル識別子が割り当てられ、各セルに対して前記１つまたは複数のネットワーク要素は前記通信デバイスのための無線アクセスインタフェースを提供し、前記方法は、
前記無線アクセスインタフェースを介して前記移動通信ネットワークへ前記データを表す信号を送信することと、
前記無線アクセスインタフェースを介して前記移動通信ネットワークから前記データを表す信号を受信することと、を含み、
前記無線アクセスインタフェースは第１のキャリアの周波数帯域にわたり、複数のフレームに時分割された複数の通信リソースエレメントを提供し、
前記１つまたは複数のネットワーク要素は、候補同期シーケンスの所定のセットの一つである同期シーケンスを、１つまたは複数の前記フレームで送信し、
前記セットからの前記同期シーケンスのそれぞれはセル識別子の指標を提供し、
前記方法は、
前記通信デバイスによって、前記無線アクセスインタフェースを介して前記移動通信ネットワークに前記データを送信する、および／または前記移動通信ネットワークから前記データを受信するために、
前記同期シーケンスの所定のセットの１つとして前記同期シーケンスを検出することと、
前記検出された同期シーケンスを使用して前記セルのセル識別子の推定を計算することと、
前記セル識別子を使用することと、を含み、
前記フレーム内の前記同期シーケンスの相対的な時間的位置は、前記通信デバイスに前記セルの前記セル識別子の指標を提供し、
前記セル識別子の推定を計算することは、
前記通信デバイスによって前記検出された同期シーケンスと組み合わせて前記同期シーケンスの前記フレーム内の前記相対的な時間的位置に基づいて、前記セル識別子の前記推定を算出することを含み、
前記同期シーケンスは、プライマリ同期シーケンスおよびセカンダリ同期シーケンスを含み、前記セカンダリ同期シーケンスはセカンダリ同期シーケンス候補のセットの１つであり、前記セットからの前記セカンダリ同期シーケンスのそれぞれはセル識別子の複数のグループの１つを識別し、前記プライマリ同期シーケンスはセル識別子の前記グループ内の前記セル識別子を識別し、前記同期シーケンスを検出することは、
前記セカンダリ同期シーケンスの所定のセットの１つとして前記セカンダリ同期シーケンスを検出することと、
前記プライマリ同期シーケンスを検出することと、
前記識別されたプライマリ同期シーケンスと前記検出されたセカンダリ同期シーケンスの組み合わせから前記セル識別子の推定を計算することから成る前記検出された同期シーケンスから前記セル識別子の推定を計算することと、を含み、
前記フレーム内の前記プライマリ同期シーケンスまたは前記セカンダリ同期シーケンスの少なくとも１つの相対的な時間的位置は、前記セルの前記セル識別子が一部を形成するセル識別子候補の前記グループの指標を前記通信デバイスに提供し、前記セル識別子の推定を計算することは、
前記プライマリ同期シーケンスまたは前記セカンダリ同期シーケンスのうち少なくとも１つの前記フレーム内の前記相対的な時間的位置と前記検出されたプライマリ同期シーケンスおよび前記検出されたセカンダリ同期シーケンスとの組み合わせに基づいて、前記セル識別子の推定を算出することを含み、
前記移動通信ネットワークの前記複数のセルを提供する前記１つまたは複数のネットワーク要素は、各フレームにおいてサブフレームの１つで第１の前記プライマリ同期シーケンスを、前記サブフレームの１つで第１の前記セカンダリ同期シーケンスを送信し、前記サブフレームの他のサブフレームで第２のプライマリ同期シーケンスを、前記サブフレームの他のサブフレームでの第２のセカンダリ同期シーケンスを送信するように構成され、第２のプライマリ同期シーケンスまたは第２のセカンダリ同期シーケンスの送信時間は、前記セルに対するセル識別子の前記グループを表す前記相対的な時間的指標を提供し、
第１のプライマリ同期シーケンスと第１のセカンダリ同期シーケンスは、前記複数のセルの各々に対して同じ１つのサブフレームで送信され、前記セルの前記セル識別子の指定を計算することは、
前記第２のプライマリ同期シーケンスまたは前記第２のセカンダリ同期シーケンスの少なくとも一つのフレーム内の相対的な時間的位置と、前記検出された第１のプライマリ同期シーケンス、前記検出された第１のセカンダリ同期シーケンス、前記検出された第２のプライマリ同期シーケンスおよび前記検出された第２のセカンダリ同期シーケンスの少なくとも一つとの組合せに基づいて、前記セルの前記セル識別子の推定を算出すること、を含む、
方法。
【請求項９】
前記各フレームは複数のサブフレームに時分割され、前記同期シーケンスの前記相対的な時間的位置は、前記同期シーケンスが送信されるサブフレームである、請求項８に記載の方法。
【請求項１０】
前記無線アクセスインタフェースの前記通信リソースエレメントは直交周波数分割多重OFDMシンボルのサブキャリアから形成され、前記同期シーケンスの前記相対的な時間的位置は、前記同期シーケンスが送信される前記サブフレームの１つの中の前記OFDMシンボルである、請求項８または９に記載の方法。
【請求項１１】
前記無線アクセスインタフェースは、第１のキャリアに加えて通信デバイスのための通信リソースを提供する第２のキャリア（NCT）を含み、前記第１のプライマリ同期シーケンスと前記第１のセカンダリ同期シーケンスは前記１つまたは複数のネットワーク要素によって前記第１のキャリアの前記サブフレーム内で送信され、前記セルのセル識別子の前記グループを表すためにフレームで変化するよう構成された前記第２のプライマリ同期シーケンスと前記第２のセカンダリ同期シーケンスは、前記セルの前記第２のキャリア上で送信され、前記セル識別子の推定を計算することは、前記第２のキャリアから検出される前記第２のプライマリ同期シーケンスと前記第２のセカンダリ同期シーケンスの少なくとも１つの前記相対的な時間的位置と、前記第２のキャリア上で識別される前記第１のプライマリ同期シーケンスと前記第１のセカンダリ同期シーケンスとの組み合わせから前記セルの前記セル識別子の推定を計算すること、を含む、請求項８から１０のいずれか一項に記載の方法。
【請求項１２】
前記第２のキャリアは前記第１のキャリアに同期されておらず、前記１つまたは複数のネットワーク要素は、前記第１のキャリアと同様に前記第２のキャリアの１つの同じ前記サブフレームで、および前記移動通信ネットワークの他のセルに対する前記第１のキャリアの１つの同じ前記サブフレームで、前記第１のプライマリ同期シーケンスと前記第１のセカンダリ同期シーケンスを送信する、請求項１１に記載の方法。
【請求項１３】
各セルに対する前記同期シーケンスの前記相対的な時間的位置とセル識別子の前記グループまたは前記セルのセル識別子との間のマッピングの指標を前記移動通信ネットワークから受信すること、を含む、請求項８から１２のいずれか一項に記載の方法。
【請求項１４】
各セルに対する前記同期シーケンスの前記相対的な時間的位置とセル識別子の前記グループまたは前記セルのセル識別子との間のマッピングの指標を記憶することを含む、請求項８から１３のいずれか一項に記載の方法。
【発明の詳細な説明】
【技術分野】
【０００１】
本発明は通信装置および通信装置、移動通信ネットワークのためのインフラ機器、移動通信ネットワークおよびシステムを用いる通信方法および移動通信ネットワークを用いる通信方法に関する。
【背景技術】
【０００２】
移動通信システムは様々な電子デバイスに無線通信サービスを提供するために開発され続けている。さらに近年では、前世代の移動通信システムで提供されていた単純な音声やメッセージサービスよりもより高度な通信サービスを、パーソナルコンピューティングおよび通信デバイスに提供するために、３ＧＰＰに基づいて定められたＵＭＴＳおよびＬｏｎｇ  Ｔｅｒｍ  Ｅｖｏｌｕｔｉｏｎ（ＬＴＥ）アーキテクチャのような第３世代および第４世代移動通信システムが開発されている。例えば、ＬＴＥシステムによって提供される改良された無線インターフェースおよび向上されたデータ転送速度により、ユーザは、以前では固定回線のデータ接続を通じてしか利用できなかった、モバイルビデオストリーミングおよびモバイルテレビ会議のような高いデータ伝送速度のアプリケーションを楽しむことができる。そのため、第３および第４世代ネットワークの展開の要求は強く、これらのネットワークのカバレッジエリア、例えば、ネットワークに対するアクセスが可能な地理的な場所は急速に拡大することが予想される。
【０００３】
より最近では特定のタイプの電子デバイスに高いデータ転送速度を有する通信サービスを提供することよりも、よりシンプルで複雑ではない電子デバイスに通信サービスを提供することが望ましいと認識されている。例として、マシーンタイプコミュニケーション（MTC）アプリケーションと呼ばれている相対的に低い頻度で少量のデータを通信する準自律的または自律的な無線通信デバイスがある。いくつかの例として、いわゆるスマートメータ、例えば、消費者の家に設置され、MTC中央サーバに返る消費者のガス、水道、電気などの公共施設の使用量に関するデータを定期的に送信するものが含まれる。
【０００４】
理解されるように、移動通信ネットワークのセルによって提供されるカバレッジエリアは、典型的に、基地局から通信デバイスまでの距離と、通信デバイスによって認識される無線環境によって制限される。基地局から離れている、もしくはより厳しい無線受信環境である環境内に通信デバイスが配置される場合、そのとき、通信デバイスとセルを構成するネットワークの基地局との間の無線通信リンクに対して行われるいくらかの改善が望まれている。これは、通信デバイスが、MTCタイプのデバイスであり、低コストで、またそれ故に感度を低減された受信機を備えて提供される例にも適用することができる。
【発明の概要】
【０００５】
本発明の実施形態は、一例において、移動体通信ネットワークにデータを送信し、およびからデータを受信する通信デバイスを提供し得る。移動通信ネットワークは、１つまたは複数のネットワーク要素を含み、１つまたは複数のネットワーク要素は移動体通信ネットワークの複数のセルを形成し、移動体通信ネットワークによって各セルは異なるセル識別子を割り当てられ、各セルのための１つまたは複数のネットワーク要素は通信デバイスに対して無線アクセスインタフェースを提供する。無線アクセスインタフェースは、第一のキャリアの周波数帯域にわたって、複数のフレームに時分割された複数の通信リソースエレメントを提供し、１つまたは複数のネットワーク要素は、同期シーケンス候補のセットの一つである同期シーケンスを、１つまたは複数のフレームで送信し、セットからの各同期シーケンスはセル識別子の指標を提供する。通信デバイスは、同期シーケンスの所定のセットの１つとして同期シーケンスを検出し、検出された同期シーケンスを使用してセルのセル識別子の推定を計算し、無線アクセスインタフェースを介して移動体通信ネットワークにデータを送信および/またはからデータを受信するためにセル識別子を使用するように受信ユニットと組み合わされて構成されたコントローラを含む。フレーム内の同期シーケンスの相対的な時間的位置は、通信デバイスにセルのセル識別子の指標を提供し、コントローラは、検出された同期シーケンスと同期シーケンスのフレーム内の相対的な時間的位置との組み合わせに基づいて、セル識別子の推定を計算するように構成される。
【０００６】
いくつかの実施例によれば、通信デバイスは、同期シーケンスが送信された相対的な時間的位置の識別に基づいて、正しいセル識別子の検索を抑制することができる。一例では、同期シーケンス自体はセル識別子のグループを識別してもよく、相対的な時間的位置はセル識別子のグループまたはグループのサブセットを識別してもよく、セル識別子はさらに同期シーケンスを使用して識別されてもよい。
【０００７】
本開示の実施形態は、通信デバイスが物理層セル識別子（PCI）のような送信セルのセル識別子の検出失敗の可能性を低減できる構成を提供することができ、したがって通信デバイスがデータを送受信するセルに対する正しいPCIを取得する取得時間を通信デバイスに対して短縮することができる。セルのセル識別子を正しく検出する同じ可能性に応じて、通信デバイスが動作するセルの範囲は、効果的に拡張することができる。これは、一部の通信システムにおいて制御およびシグナリング情報がセル識別子を用いてエンコードされるからであり、従って、通信デバイスは通信ネットワークのセルを介して通信するために、セル識別子を検出しなければならない。したがって正しくセル識別子を検出する可能性を増加させることにより、通信デバイスが送受信している基地局からのセルの範囲は、等価的に増加される。したがって、これはセルのカバレッジを向上させることができ、通信システムに対して指定される同じ性能要件内に存在する通信デバイスによって、セル捕捉シグナリングが正常に検出されることがより困難な場所にセルのカバレッジを到達させることができる。
【０００８】
いくつかの例では、通信デバイスは不十分な無線受信環境を提供する場所に配置されるかもしれない。いくつかの例では、通信デバイスは、MTCデバイスのような低機能デバイスのようなものであり、無線信号が著しい伝搬損失を経験する住宅の地下に設置されているスマートメータのようなものである。同様に、開示された構成を使用して、著しいダウンリンクのセル間干渉を受ける通信デバイスはより容易にセル識別子を取得でき、従って、移動体通信ネットワークを介して正しく通信することができるという可能性を向上させることができる。失敗の可能性が減少されるので、例えば、通信デバイスがセル識別子を搬送する同期信号を微弱にしか受信できない場所において、セル補足に失敗する試行回数も減少させることができる。これは、通信デバイスの消費電力を低減することに役立ち、モバイルデバイスのバッテリ寿命を向上させることができる。
【０００９】
本開示の多様な態様および実施形態は添付の特許請求の範囲で提供され、インフラ機器（または移動通信ネットワークのネットワーク要素）、通信デバイスおよび移動通信ネットワークを使用する通信デバイスとの通信方法を含むが、これらに限定されるものではない。
【図面の簡単な説明】
【００１０】
本開示の実施形態は、類似部分に同じ参照番号が付けられた添付図面を参照しながら例としてのみ、説明される。
【図１】図１は、従来の移動通信システムの一例を示す概略図である。
【図２】図２は、従来のLTE無線アクセスインタフェースの１０個のダウンリンクサブフレームに関する無線アクセスインタフェースのチャネルの構成を示す概略図である。
【図３】図３は、従来のLTEのダウンリンクの無線サブフレームを示す概略図である。
【図４】図４は、ホストキャリアの中央周波数に狭帯域の仮想キャリアが挿入されたＬＴＥのダウンリンク無線サブフレームの一例を示す概略図である。仮想キャリア領域はホストキャリアの広帯域制御領域に隣接するように、示されている。
【図５】図５は、図１に示す例に対応する、一例の無線アクセスインタフェースを備えた、移動通信システムの一例を示す概略図を提供する。
【図６】図６は、複数のフレーム内のサブフレームを示す、図５に示される無線アクセスインタフェースの概略図を提供する。
【図７】図７は、本技術に従った、１０のダウンリンクサブフレームに対する無線アクセスインタフェースの同期シーケンスの一例の構成を示す概略図を提供する。
【図８】図８は、本技術に従った、サブフレームのOFDMシンボル内の無線アクセスインタフェースの同期シーケンスの一例の構成を示す概略図を提供する。
【図９】図９は、本技術の一実施例による移動通信システムの概略ブロック図である。
【図１０】図１０は、本技術に係る移動通信ネットワークにおける基地局の動作を示すフロー図である。
【図１１】図１１は、本技術に係る通信デバイス（UE）の動作を示すフロー図である。
【発明を実施するための形態】
【００１１】
＜ネットワークの例＞
図１は、従来の無線通信ネットワークの基本的な機能性を説明している概要図である。図１では移動通信ネットワークは、コアネットワーク１０２に接続された複数の基地局１０１を含む。各基地局は、その内部で通信デバイス１０４に、および、からデータが搬送されるカバレッジエリア１０３（例えば、セル）を提供する。データは、無線ダウンリンクを通じて基地局１０１からカバレッジエリア１０３内の通信デバイス１０４に送信される。データは、無線アップリンクを通じて通信デバイス１０４から基地局１０１に送信される。コアネットワーク１０２は、基地局１０４に、および、からのデータをルーティングし、認証、モバイル端末管理、料金請求等のような機能を提供する。基地局１０１は、通信デバイスに対して無線アップリンクおよび無線ダウンリンクからなる無線アクセスインタフェースを提供し、移動通信ネットワークに対してインフラ機器またはネットワーク要素の例を形成し、またＬＴＥの例においては、エンハンストノードＢ（eNodeBもしくはeNB）であってもよい。
【００１２】
通信デバイスという用語は、移動通信ネットワークを介してデータを送信または受信できる通信端末または装置を示すために使用される。パーソナルコンピューティングデバイス、遠隔端末、送受信機装置またはユーザ機器（UE）のような、モバイルであってもなくてもよい他の用語もまた、通信デバイスのために使用してもよい。
【００１３】
３ＧＰＰで定められたＬｏｎｇ  Ｔｅｒｍ  Ｅｖｏｌｕｔｉｏｎ（ＬＴＥ）アーキテクチャに従って設置されたような移動通信ネットワークは、無線アクセスインタフェースとして無線ダウンリンク（いわゆるＯＦＤＭＡ）および無線アップリンク（いわゆるＳＣ−ＦＤＭＡ）を基礎とした直交周波数分割多重（ＯＦＤＭ）を用いる。データは、複数の直交サブキャリアのアップリンクおよびダウンリンクで送信される。図２は、ＬＴＥダウンリンクの無線フレーム２０１を基にしたＯＦＤＭを説明している概要図を示す。ＬＴＥダウンリンクの無線フレームは、ＬＴＥ基地局から送信され、１０ｍｓ持続する。ダウンリンクの無線フレームは、１０のサブフレームを備え、各サブフレームは１ｍｓ持続する。周波数分割複信（ＦＤＤ）システムの場合、プライマリ同期信号（ＰＳＳ）およびセカンダリ同期信号（ＳＳＳ）は、ＬＴＥフレームの第１および第６番目のサブフレーム（従来は、０および５番目のサブフレームとして番号付けされていた）で送信される。物理ブロードキャストチャネル（ＰＢＣＨ）は、ＬＴＥフレームの第１のサブフレームで送信される。ＰＳＳ、ＳＳＳ、およびＰＢＣＨは、後により詳細に説明される。
【００１４】
図３は、従来のダウンリンクのＬＴＥサブフレーム構造の一例を表すグリッドを提供する概要図である。サブフレームは、１ｍｓ期間中に送信されるいくつかの所定のシンボルを有する。各シンボルは、ダウンリンク無線キャリアの帯域幅にわたって分散された、所定の数の直交サブキャリアから構成される。
【００１５】
図３で示されるサブフレームの例は、１４のシンボルおよび２０ＭＨｚの帯域幅にわたって配置される１２００のサブフレームから構成される。ＬＴＥでデータが送信され得る最も小さい単位は、１サブフレーム中に送信される１２のサブキャリアである。明確にするために、図３において個々のリソースエレメントは図示されないが、代わりにサブフレームのグリッドにおける個々のボックスは、１シンボルで送信される１２のサブキャリアに対応する。
【００１６】
図３は、４つの通信デバイスに対するリソース割り当て３４０、３４１、３４２、３４３を示す。例えば、第１の通信デバイス（ＵＥ１）に対するリソース割り当て３４２は、１２のサブキャリアの５のブロックにまたがって広がっており、第２の通信デバイス（ＵＥ２）に対するリソース割り当て３４３は１２のサブキャリアの６のブロックにまたがって広がっている、等である。
【００１７】
制御チャネルデータは、サブフレームの最初のｎシンボルから構成されるサブフレームの制御領域３００で送信され、ｎは３ＭＨｚまたは３ＭＨｚより大きいチャネル帯域幅に対して１から３の間で変化し得、またｎは１．４ＭＨｚのチャネル帯域幅に対して２から４の間で変化し得る。制御領域３００で送信されるデータは、物理ダウンリンク制御チャネル（ＰＤＣＣＨ）、物理制御フォーマット指示チャネル（ＰＣＦＩＣＨ）および物理ＨＡＲＱ指示チャネル（ＰＨＩＣＨ）で送信されるデータを含む。
【００１８】
ＰＤＣＣＨは、サブフレームのどのシンボルのどのサブキャリアが特定の通信デバイスに割当てられたかを示す制御データを含む。そのため、図３で示されるサブフレームの制御領域３００で送信されるＰＤＣＣＨデータは、ＵＥ１は第１のリソースブロック３４２を割り当てられ、ＵＥ２は第２のリソースブロック３４３が割り当てられることなどを示し得る。ＰＣＦＩＣＨは、制御領域の持続期間（例えば、１から４の間のシンボル）を示す制御データを含み、ＰＨＩＣＨは、以前に送信されたアップリンクデータがネットワークによってうまく受信されたか否かを示すＨＡＲＱ（ハイブリッド自動再送要求）データを含む。
【００１９】
あるサブフレームにおいて、サブフレームの中央帯３１０のシンボルは、プライマリ同期信号（ＰＳＳ）、セカンダリ同期信号（ＳＳＳ）および上述した物理ブロードキャストチャネル（ＰＢＣＨ）を含む情報の送信に使われる。この中央帯３１０は、概して７２のサブキャリアの幅（１．０８ＭＨｚの送信帯域幅に相当）である。ＰＳＳおよびＳＳＳは、検出された時点で通信デバイス１０４にフレーム同期をさせ、ダウンリンク信号を送信する基地局（ｅＮＢ）のセルIDを特定させる同期信号である。セルに関する情報を搬送するＰＢＣＨは、通信デバイスがセルにアクセスするために必要とするパラメータを含むマスター情報ブロック（ＭＩＢ）を含む。物理ダウンリンク共有チャネル（ＰＤＳＣＨ）で個々の通信デバイスに送信されるデータは、サブフレームの通信リソースエレメントの残りのブロックで送信され得る。
【００２０】
図３はまた、システム情報を含み、Ｒ３４４の帯域幅に広がるＰＤＳＣＨの領域を示す。このように図３で中央周波数はＰＳＳ、ＳＳＳおよびＰＢＣＨのような制御チャネルを搬送するため、通信デバイスの受信機のための最小帯域幅を意味する。
【００２１】
ＬＴＥチャネルでのサブキャリアの数は送信ネットワークの設定によって変わり得る。概して図３で示したように、このバリエーションは１．４ＭＨｚのチャネル帯域幅中で７２のサブキャリアが含まれる場合から、２０ＭＨｚのチャネル帯域幅で１２００のサブキャリアが含まれる場合まである。本技術分野で知られているように、データをＰＤＣＣＨ、ＰＣＦＩＣＨおよびＰＨＩＣＨで搬送するサブキャリアは概してサブフレームの全帯域にわたって分散されている。そのため、従来の通信デバイスは制御領域を受信およびデコードするために、サブキャリアの全帯域幅を受信することができなければならない。
【００２２】
＜仮想キャリア＞
ＭＴＣデバイス（例えば、上述のスマートメータのような準自律または自律無線通信デバイス）のようなある特定のクラスの通信デバイスは、相対的に低頻度な間隔で少量のデータの通信が特徴とする通信アプリケーションをサポートするため、従来の通信デバイスよりも大幅に簡易であり得る。通信デバイスはキャリア帯域幅の全体にわたるＬＴＥダウンリンクフレームからのデータを、受信および処理できるハイパフォーマンスなＬＴＥの受信機ユニットを備え得る。しかし、そのような受信機ユニットは、少量のデータを送信または受信することしか必要としないデバイスにとって、あまりにも複雑すぎるものであり得る。そのためこれは、低機能であるＭＴＣ型デバイスのＬＴＥネットワークのおける広域展開の実用性を制限する。代わりに、デバイスに送信される総データ量に比例した、より簡易な受信機ユニットを備えたMTCデバイスのような低機能デバイスを提供することが好ましい。さらに、受信機はあまり繊細でなくてもよい。
【００２３】
従来の移動通信ネットワークでは概して、データの少なくとも一部が実質的に周波数キャリアの全帯域に及ぶ周波数キャリア（ホスト周波数キャリア）で、データはネットワークから通信デバイスに送信される。通常、通信デバイスはホスト周波数キャリア、すなわち所定の通信規格で規定された最大システム帯域幅に広がるデータを受信およびデコードしない限りネットワーク内で動作できず、したがって狭帯域機能の送受信機ユニットを備えた通信デバイスの使用は排除される。
【００２４】
国際特許出願番号PCT/GB２０１２/０５０２１３、PCT/GB２０１２/０５０２１４、PCT/GB２０１２/０５０２２３および PCT/GB２０１２/０５１３２６で開示されているように、その内容は参照により本明細書に組み込まれ、従来のキャリア（「ホストキャリア」）を含む通信リソースエレメントのサブセットは、「仮想キャリア」として定義され、ホストキャリアは特定の帯域幅（第１の周波数領域）を有し、仮想キャリアはホストキャリアの帯域幅に比して狭められた帯域幅を有する。低機能デバイスに対するデータは、別々に通信リソースエレメントの仮想キャリアセット上で送信される。したがって、仮想キャリアで送信されたデータは複雑さもしくは機能を低減された送受信機ユニットを用いて受信およびデコードされ得る。したがって、仮想キャリアは、制限された帯域幅内で、低機能デバイスに予約または少なくとも好ましくは割り当てられた通信リソースエレメントを有するホストキャリア帯域幅の一部を提供する。
【００２５】
複雑さまたは機能を低減された送受信機ユニット（以降「低機能デバイス」と呼ぶ）を備える通信デバイスは、その最大限の機能の一部を使用して動作するように（すなわち、その最大限の機能の減少された機能のセット）、もしくはそれらは従来のLTE方式のデバイスよりもより複雑さおよび価格を低減するように構成することができる。仮想キャリアの規定によって、高価ではなく複雑でもない送受信機ユニットを備える通信デバイスを使用することができ、LTE方式のネットワーク内でのMTC型のアプリケーションのようなデバイスの展開をより魅力的にすることができる。
【００２６】
図４は、上述した従来の確立されているLTE規格に準じた任意のダウンリンクサブフレームに導入される仮想キャリア４０６の実施例を表す概略図である。サブフレームは、上述したPCFICH、PHICHおよびPDCCHをサポートする制御領域４００と、上述したようにシステム情報と同様に、上位レイヤデータ（たとえば、ユーザプレーンデータおよび非物理レイヤ制御プレーン信号）を各通信デバイスに搬送するためのPDSCH領域４０２と、を有する。したがって制御領域４００と、共有通信リソース（PDSCH）４０２は、システム全体もしくはホストキャリア帯域幅の全域を占め得る。具体的な例をあげると、サブフレームが関連するキャリアの周波数帯域幅（BW）は２０MHzとされる。
【００２７】
また従来の通信デバイスへのPDSCHのダウンリンク割り当ての概略図の一例は、図４の共有リソース４０２内の斜線領域４０４によって示される。上述した定義された規格に従って、個々の通信デバイスはサブフレームに対する特定のダウンリンク割り当て４０４を、そのサブフレームの制御領域４００内で送信されるPDCCHから導出する。
【００２８】
従来のLTE規格とは対照的に、PDSCHの全帯域幅の範囲にわたって利用可能なPDSCHリソースのサブセットは、図４で示すＴ型の範囲内で、任意のサブフレームで通信デバイスに割り当てられることができ、低機能デバイスは仮想キャリアに対応する予め定められ予約された周波数帯域幅４０６内のPDSCHリソースが割り当てられ得る。したがって、各低機能デバイスは、サブフレームから自身のデータを識別し、抽出するためにサブフレーム内の全PDSCHリソースのごく一部をバッファリングし、処理する必要しかない。
【００２９】
基地局から通信デバイスへの通信に使用される予め定められ予約された周波数帯域幅、たとえばLTEでのPDSCH、はこのように、物理層制御情報、たとえばLTEでのPDCCH、を搬送するために使用されるホスト周波数帯域幅（キャリア帯域幅）全域よりも狭い。その結果、基地局１０１は、予約された周波数帯域幅４０６内のPDSCH４０２上にのみ、低機能デバイスに対するダウンリンクリソースを割り当てるように構成されてもよい。前述したように通信デバイスは、限定された周波数帯域内のPDSCHリソースが割り当てられ、通信デバイスは予め定められ制限された周波数帯域外のどのPDSCHリソースもバッファリングし、処理する必要がない。
【００３０】
＜同期シーケンスの例＞
既知の構成によって理解されるように、PSSS/SSSは、セル内で動作する基地局１０１によって提供される無線アクセスインタフェースに通信デバイスが同期できるように、また物理層セル識別子（PCI）を提供するためにも提供される。LTEにおいて、PCIは移動通信ネットワークの各セルに関連づけられている。それぞれが３つの識別子を含む１６８のグループで構成された５０４のPCIがある。PSSはグループ内のセル識別子を示すために使用され、SSSはグループの識別子を示す。PSS/SSS送信に埋め込まれているPCIは、周波数再使用率を１とする配置において異なるセル識別子を通信デバイスが検出できるようにする良好な非相関性を有するので、現在知られているLTEネットワークはセル識別子基盤で構築されている。
【００３１】
LTEの現在のリリースでは、PSSとSSSの両方は空白にされたDCサブキャリアと共にシステム帯域幅の中心の６３のサブキャリアを介して送信される。これは、システム帯域幅を通知することなく、通信デバイスが送信を検出できるようにする。２つのシーケンスは両方とも以下の表に従って、０から番号づけられる無線フレーム内のスロットおよびシンボルで、各無線フレームの２つのスロットで送信される。
【００３２】
FDDにおいて、SSSはPSSの直前のOFDMシンボル内にあり、無線チャネルの干渉時間はOFDMシンボルより大幅に長いという想定のもとに干渉検出を可能とする。TDDにおいて、SSSはPSSの３つ前のOFDMシンボル内にあり、無線チャネルの干渉時間が４つのOFDMシンボルより大幅に長い場合にのみ干渉検出が使用され得るということを意味する。通信デバイスが最初にPSSを検出すると、チャネルを推定するためにこれを使用でき、SSSを明確に検出することができる。通信デバイスは、既定のFDD/TDDモードで使用されているサイクリックプレフィックス構成をブラインドで検出する必要がある（ブラインド検出も必要とする可能性がある）。
【００３３】
LTEに適応されているPSSに対する同期シーケンスの実装例は、３つの候補PSSがあり、それぞれは長さ６３のZadoff-Chuシーケンスを有する。各SSSは、周波数領域でインターリーブしている長さ３１の２つのセカンダリ同期コードであり、２つのセカンダリ同期コード自身は、単一長さ３１のMシーケンスの２つの異なるサイクリックシフトである。
【００３４】
＜PSS/SSSの送信時間位置＞
理解されるように、セルによって提供されるカバレッジエリアは、基地局から通信デバイスまでの距離と、通信デバイスによって認識される無線環境に依存して制限される。移動通信ネットワークによって提供される仮想キャリアを利用することができる低コストのMTCタイプのデバイスが、PSS/SSSを受けにくい環境に配置されることが将来的に予測されている。MTCデバイスの受信機の感度は、コストを削減する代わりに、従来よりも低くてもよい。
【００３５】
上述した従来の構成は、移動通信ネットワークを通して、各セルに対して同じサブフレームでPSS/SSSを送信する。本技術は、各セルに関してフレーム内の異なる時間的位置で同期シーケンスを送信させる構成を提供する。１つまたは複数の同期シーケンスの時間的位置は、同期シーケンス自体によっても搬送されるセル識別子（PCI）である、PCIのようなセル識別子またはセル識別子のグループの指標を提供する。一般的にLTEに対する現在の提案（リリース）に準拠している以下の実施例において、同期シーケンスは、図１から図４を参照して説明したように、プライマリ同期シーケンス（PSS）とセカンダリ同期シーケンス（SSS）がある２つの部分で構成される。従って、上述したように、本技術の実施形態は、PSSとSSSのいずれかまたは両方の追加送信の位置をフレームまたはサブフレーム内で変化させる構成の一例を提供することができる。この構成は、次のセクションでより詳細に説明する。しかし、PSS/SSSの発現がPSSおよび/またはSSSとして解釈されるように、PSSおよびSSSの一方または両方が、フレーム内の時間的位置で変化してもよいことが理解される。
【００３６】
同期信号の送信間隔は、システムフレーム番号（SFN）の遷移を示すために使用される構成を提供することが、３GPP  LTE技術文書R１-０７２０５０から知られている。一例では、スーパーフレームの最後の無線フレームにおいて、最初のスロット内のPSS/SSSの位置は第２のスロット内の位置と異なっている。したがって、通信デバイスは、PSS/SSSを検出することによってSFN遷移を識別することができる。
【００３７】
一方、本技術の実施形態は、通信デバイスにさらに情報を搬送するためにPSS/SSS送信のシンボル間隔をアレンジする。PSS/SSS送信の時間領域の配置によって搬送されるさらなる情報は、ネットワークのいくつかの他の面よりも同期シーケンス自体の内容に関連している。また、PSS/SSSは、SFNではなく、PCIおよび/またはSSS（またはより小さな場合にはPSS）を搬送する。最後に、R１-０７２０５０における提案は、PSS/SSS送信のシンボル間隔が、基地局によってサービスされるセルごとに異なっていてもよいことを提案していない。
【００３８】
３GPP技術文書R１-１１２４６９は、激しいセル間干渉の場合には、セル補足を支援するために「補助」PSS/SSSを使用することを提案している。補助PSS/SSSは従来のシーケンスと異なるOFDMシンボルで送信され、提案はいわゆる「オールモストブランクサブフレーム」の使用を追加することおよび他のリソースミュートアプローチを含む。しかし本技術の実施形態とは対照的にこの提案においては、これは単にPSS/SSSの繰り返しを意味し、また補助PSS/SSSの時間的位置は意義を提供しない。
【００３９】
本開示の例示的な実施形態は、通信デバイスのためのオプションである、PSSの送信タイミングがSSS検出を（場合によってはPCIも）限定するために使用されることができる構成を提供する。SSSに焦点を当てたことによって、Mシーケンスの非相関性はPSSに使用したZadoff-Chuシーケンスに対するよりも弱いので、よってより望ましい、SSSの検出失敗確率（PMD）を減少させるように動作する利点が提供される。いくつかの実施形態は、上述した拡張は、同期シーケンスの２つ以上の送信を必要とせずに得ることができ、追加のオーバーヘッド無しにまたは少なくとも減少させることができるので、非同期の新しいキャリアタイプ（NCT）で形成された無線アクセスインタフェースを使用した場合に利点を提供することができる。新しいキャリアタイプ（NCT）は、以下でより詳細に説明する。本技術の実施形態はまた、上記で説明した仮想キャリア（VC）の展開に関する利点を提供する。VCがホストキャリアの中央リソースブロックの周辺に存在していない展開を考えてみる。ホストキャリアHCではなくVCのリソース内でPSS/SSSが繰り返し送信されるVCを提供するように基地局は構成されることができ、VC内のPSS/SSSの送信は、ホストキャリア上で動作する他の通信デバイスの同期に影響を与えることなく、PSS/SSS自体によって搬送されるPCIを表す時間的位置に配置される。これはVC通信デバイスがホストキャリアの同期信号にアクセスする必要性を排除し、したがって、通信デバイスを極めて狭帯域のデバイスとすることができ、大幅にそれのコストと消費電力を削減することができる。
【００４０】
本技術に従って動作する移動通信ネットワークの図の例が図５に示される。図５において移動ロケーションネットワークは、コアネットワーク５０２に接続され、図１を参照して上で説明したように実質的に動作する基地局５０１を含む。図５に示されるように、基地局５０１内のスケジューラによって規定される無線アクセスインタフェースに応じて信号を送信および受信するよう、基地局内の送信機および受信機を配置することによって各基地局５０１は移動通信ネットワークのセルを形成するように動作する。したがって、各基地局５０１はホストキャリアHCを提供する。上述したように、ホスト周波数帯域内の無線アクセスインタフェースは時間的にフレームに分割されている。各フレームは、１０のサブフレームを含む。したがって図５に示すように、各ホストキャリアHCはサブフレーム５０６に分割されているフレーム５０４を含む。しかし、移動通信ネットワークの１つまたは複数のセルに対して、ホストキャリアHCに加えてまたはいくつかの例においてホストキャリアHCの代わり送信される、さらなるキャリアを提供することが提案されている。従って図５に示すように、基地局５０１のうちの一つは、フレーム５０４及びサブフレーム５０６に分割されているホスト周波数帯域内の無線アクセスインタフェースを提供するいわゆる新しいキャリアタイプ（NCT）も提供する。
【００４１】
従来のホストキャリアと対照的に、LTEのリリース１１およびそれ以前の仕様に準拠する従来のキャリアに比べて、NCTはオーバーヘッドを大幅に減少することが提案されている。典型的には、NCTは、プライマリコンポーネントキャリア（PCC）などの従来のキャリアと共に用いられるセカンダリコンポーネントキャリア（SCC）があるであろう、キャリアアグリゲーション（CA）のシナリオでの最初の展開が、NCTは意図されている。NCTは、PCCと同期させるまたは非同期させることのいずれかができる。同期する場合、通信デバイスは従来のPCCから同期（および他のタイミング関連情報）を取得するので、NCTはPSS/SSSを送信する必要はない。非同期の場合、NCTはそれ自身の同期信号を送信し、通信デバイスは従来のPCC及びNCT  SCCとは別にタイミング情報を取得する。NCTに関するさらなる相違は、ホストキャリアHCのシステム帯域幅よりも潜在的にはるかに狭い帯域幅にわたって、単一のアンテナポートで（従来のキャリア上の最大４つのポートと比べて）および減少された周期（従来のキャリア上の各サブフレームと比べて）で、例えば５ミリ秒、セル固有基準信号（CRS）が送信されるという予測を含む。さらに、いわゆる「スタンドアロン」の場合、NCTは従来のキャリアと統合されず、NCTはいかなる従来のPDCCHを送信せず、代わりにもっぱらEPDCCHに依存する。
【００４２】
上述したように、フレームタイミング、SFNおよびPCIを決定するために、通信デバイス１０１がPSSとSSSを正常に検出し、正しくデコードすることが依然としてできる基地局５０１からの距離によって、セルのカバレッジは制限され得る。カバレッジを改善するための簡単な方法は、第１および第６サブフレーム０および５において既にスケジュールされている送信に加えて、各無線フレーム内にPSSおよび/またはSSSのさらなる繰り返しを追加することであろう。これは主に改善された検出失敗確率、PMDおよび取得時間を目標にすることに寄与するが、各無線フレームにおける増加されるオーバーヘッドの代償をもたらし、それ故PDSCH上のユーザプレーン容量を低減させる。それ故、無線フレームの追加のサブフレーム内でPSS/SSSが繰り返されている場合に、増加されるオーバーヘッドを最も効率的に利用するために、PSS/SSSからさらに性能向上を得るための方法を開発することが望ましい。
【００４３】
図６は、図５に示したホストキャリアHCまたはNCTのフレームのより詳細な説明を提供する。上述したように、各フレーム内に１０のサブフレームが存在する。また、上述した説明はまた例えば図３に表され、図６でより簡略化した形で示されるように、各サブフレームに対するリソースエレメントの概要である。
【００４４】
以下の説明は、通常のサイクリックプレフィックス（CP）を有するFDD送信に応じて配置される無線アクセスインタフェースの例であるが、他の実施例ではTDDを使用してもよい。一般的には、FDD用の現在のLTE仕様書に記載されているように、無線フレームのサブフレーム０および５内のPSS/SSSの送信が通常生じることが想定される。非限定的な例として、カバレッジと取得時間を改善するために、少なくともPSSおよびSSSのうちの一つの、少なくとも一つの追加送信（すなわち、合計少なくとも３つ）は、無線フレームのサブフレーム０および５中のPSS/SSSの送信に加えて無線フレーム内で発生する。このような追加送信は、PSS/SSSの追加送信を予測していない従来の通信デバイスの同期処理を妨害する可能性を有するであろう。従来のデバイスは新しいPSSの送信を検出でき、そして（従来の）サブフレーム０および５内で明らかに矛盾する送信を検出することができるので、これは特にPSSに当てはまる。この効果は実装固有であるが、一般に、セル補足処理を遅らせることが予想される。これに対する解決方法は、例えば、Zadoff-Chuシーケンスの異なるサイクリックシフトを用いてPSSを構成するようなシナリオ（上記参照）における使用のための、新規なPSSを生成することである。これは高度な通信デバイスに対する繰り返し合成利得を失うが、従来のデバイスに対する障害を防止するであろう。
【００４５】
上記したように、本技術の実施形態はいずれの場合も影響を受けないであろう。SSSに関して、適切な実装がされた従来のデバイスはPSSからスロット（およびサブフレーム）タイミングを取得し、従ってSSSが生じるべき時間に関する従来の予測を有しており、暗黙的に「予想外」の送信を無視することができるため、適切な実装がされた従来のデバイスは追加の繰り返しによって影響を受けない。しかし一般に、本技術の実施形態は、無線フレーム内に一つのPSS/SSS送信のみが存在する構成を提供することができる。
【００４６】
図７は、本技術の実施形態の一例の図を提供する。図２で示して上述したように、各フレームに対してPSS/SSSは、同じサブフレーム、例えばフレームのサブフレーム１とサブフレーム６で送信される。しかし、フレーム内のPSS/SSSの１つまたは両方の第２のまたは追加送信は、この例ではサブフレーム４で提供される。第２のPSS/SSSの追加送信の時間的位置は、セル毎にフレーム内で変化させることができる。これにより、移動通信デバイスは、PSS/SSS  ７００の追加送信の相対的な時間的位置に基づいてセルのPCIを識別するように構成される。一実施例では、１つまたは両方のPSS/SSSの時間的位置は、セルが属するPCI候補のグループの値を示すことによって提供される。図７に示す矢印７０２は、常に移動通信ネットワークのすべてのセルに対して同じサブフレームで発生する第１のPSS/SSSの搬送とは異なり、第２のPSS/SSSの伝送はフレームのサブフレーム内またはサブフレーム間で変化してもよいことを示す。
【００４７】
NCTの例では、第１のプライマリまたはセカンダリ同期シーケンスが送信されないことが可能である。この例において、NCTの通信リソースにアクセスする通信デバイスは、デバイスがタイミングおよび移動通信ネットワークとの同期などを取得する他のホストキャリアHCとの同期を最初に取得する。しかしNCTが従来のキャリアに同期されていない場合、一般的に、NCTは独自のPSS/SSSを搬送し、これらの同期シーケンスはLTE（リリース１１の位置）に関する以前のリリースに対して提案されている形式でなくてもよくでき、または実際に異なるタイプの同期シーケンスを含んでもよい。PCIの獲得を支援するために時間的に変化する同期シーケンスを送信する移動通信ネットワークを介してデータを送信および受信するよう本技法に従って適合された通信デバイス。このような通信デバイスはまた、MTCデバイスまたはVC通信デバイスとして一般に呼ばれるデバイスのように仮想キャリアVCを介して通信するデバイスも含むことができる。対照的に「従来の」無線通信デバイスは、セルに対するPCIを取得し、すべてのセルに対して同一の位置にあるPSS/SSSの従来の配置を使用する移動体通信ネットワークに同期するようにのみ構成されているため、本技術を利用するように動作することができない。
【００４８】
＜SS繰り返しサブフレームホッピングによるPCIサブセット限定＞
上述した説明から理解されるように、従来のLTEキャリアHCは、サブフレーム０および５と異なるサブフレームnでPSS/SSSの第３の繰り返しを送信するように構成されてもよい。この第３の送信は、一般性を失うことなくサブフレームnの任意の固定されたOFDMシンボルｓで生じてもよいが、現在指定されている繰り返しと同じOFDMシンボルで生じさせることが通信デバイスの実装に対して容易である（上記のテーブルを参照）。本実施形態では、第３の繰り返しが生じるサブフレームは、通信デバイスが検索することが想定されているPCIのサブセットを暗示し、従って検出失敗確率（PMD）および取得時間を低減させる。これを行うため、候補PSSシーケンスと、通信デバイスがそれらの他のサブフレーム内の関連するリソースエレメント（この例では、OFDMシンボルｓ）で受信すること、とを相関させることによって、一般的に、０および５以外のサブフレームにおけるPSSの第３の繰り返しの存在を通信デバイスは検索することができる。任意の適切な周知の方法を用いて、これらのいずれかが一致するとみなされる場合、セルによって送信されるキャリアHCは本技術に従って適合された無線アクセスインタフェースを提供すると、通信デバイスは決定することができる。
【００４９】
このような結論に達すると、通信デバイスがPCIを決定でき、基地局１０１によって選択され得る最大で８つの候補サブフレームあり、８つの候補サブセットの１つの内にあるPCIの検索を限定するためのPSS/SSSの時間的位置を使用することによって支援される。一実施例では、通信デバイスはすでにPSSを検出しているため、実際はSSSのみサブセットに限定される。他の例では、PCIの全体は、サブセットに関連付けられ、PSSまたはSSSの時間的位置から決定され、通信デバイスがPSSで搬送されるPCIの指標のオリジナルの推定の最初の検出さえ見直す可能性を与える。
【００５０】
SSSまたはPCIが限定される可能性のあるサブセットは、
・SSSまたはPCIの全セットにわたって連続かつ番号順または順不同のいずれかであり得る。たとえばNのSSS/PCI値があり、NのSSS/PCI値がサブフレームnで検出される追加の繰り返しで０  ・・・  Nと番号付けられる場合、限定される値のセットは、
・番号順  n=０:  {０，１，・・・，(N/８)−１}，n=１:  {N/８，・・・，(２N/８)−１}，・・・，n=７:  {７N/８，・・・，(N−１)}。一般的にはn=p:  {Np/８，(Np/８)+１，・・・，N(p+１)/８−１}。
・順不同  n=０:  {３N/８，・・・，(４N/８)−１}，n=１:  {０，１，・・・，(N/８)−１}，・・・，n=７:  {N/８，・・・，(２N/８)−１}。
・SSSまたはPCIの全セットにわたって不連続かつ番号順または順不同のいずれかであり得る。これは、いくつかの値が動作から除外されていることを意味する可能性がある。上記の例を続けると、不連続かつ番号順である１つの構成は、
n=０:  {０，１，・・・,(N/８)−３}，n=１:  {N/８，・・・，(２N/８)−２}，・・・n=７:  {７N/８，・・・(N-１)}、ここでいくつかの欠落部があるが、この例では許容値内で任意に位置付けられる。
・候補値の全部または一部だけを一緒にカバーすることができる、候補値の任意の集合は、たとえばn=０: {３,７，９９，１１２，・・・}， n=１:{３４，７７，８２，・・・}，・・・であり得る。
【００５１】
上述した実施例から理解されるように、移動通信ネットワークは、SSSまたはPCIのサブセットに対する第３の繰り返しに関するサブフレームの関連性を、基地局１０１によってセルからブロードキャストするように構成されてもよく、また仕様書で定義されてもよい。第３のPSS/SSSの繰り返しが送信されるためにすべてのサブフレームが許可されるわけではなく、その場合、一般的に、限定される候補のセットの数はそれに応じて少なくなる。
【００５２】
さらなる例示的な実施形態において、現在のPSS/SSSの２つの送信のどちらか一方は、サブフレーム０および５に限定されるのではなく、任意のサブフレーム内で生じることが許可される。例えば、第１の送信は依然としてサブフレーム０であってもよいが、第２の送信は移動させることができ、第２の送信が検出されるサブフレームは、上述した第３の送信方法で動作する。この例では、第３の送信にかかる増加されるオーバーヘッドを回避するが、第２の送信がサブフレーム５でなかった場合、従来の通信デバイスがキャリアにアクセスすることを阻む可能性がある。したがってこの例は、後方互換性要件のない、NCT自身の同期シーケンスを送信する非同期NCTに対してより適用可能性がある。
【００５３】
本技術に応じてセル間でPSS/SSSの第３の送信が時間的に変化することが許容される従来のホストキャリアの例では、従来の通信デバイスにこれを通知する能力を有しない基地局のためにPDSCHに穴を開ける可能性があるPSS/SSSのこの追加送信を認識するように従来の通信デバイスが構成されていない可能性があり、PSS/SSSの送信によってPDSCHにこの穴が生じる。これは、従来の通信デバイスのPDSCHの復号を劣化させてしまう。さらに、特定のサブフレームの特定のOFDMシンボルでPSS/SSSが搬送された場合、追加の繰り返しは潜在的に基準信号（RS）やPBCHのような送信と衝突することになる。これらの例では、従来の通信デバイスによって予測されているPDSCHまたはPBCHの送信にPSS/SSSの追加の送信によって影響を与えないために、実施形態は、OFDMシンボル上で衝突が生じるであろうサブフレームまたは物理リソースで送信されることを禁止するよう追加のPSS/SSS送信を構成する。（これはPCI/SSSが分類されるセットの数を減らす可能性がある）
【００５４】
＜サイクリックプレフィックス（CP）の長さとFDD/TDD間のブラインド検索＞
いくつかの実施形態では、通信デバイスは少なくとも２つのCPの長さおよび、通信デバイスが両方をサポートしている場合には潜在的にFDDとTDDの動作とを区別できるようにする必要があり得る。上述したように本実施形態と同じようにOFDMシンボルの分類が管理され、FDDとTDDとの間で異なっている場合、通信デバイスは依然としてCPの長さを区別することができる。シンボルの分類が他の固定された分類に変更される場合、通信デバイスがより簡単にブラインド検索を行うことができるように、好ましくは、それは他の事前に定義された（すなわち、仕様書に記載された）値に変更される必要がある。
【００５５】
＜同期シーケンス繰り返しOFDMシンボルホッピングによるPCIサブセット限定＞
図８は、図３に示された図に相当するが、本技術の例示的な実施形態を例示するために簡略化されたサブフレームの例を提供する。図８において、PSS８００とSSS８０２はPSS/SSSが送信されている周波数の中央帯域３１０を含む仮想キャリア３１０内のリソースブロック５と７で送信される。したがってPSS/SSSが送信されるOFDMシンボルは変えることができ、その結果、時間的位置は上述したようにPCIの指標を提供するために使用される。
図８においてわかるように、したがってPSS/SSSは、それが送信されるOFDMシンボル内で変化してもよく、矢印９００、９０２によって示されるように、この変化はセルの間で変化してもよい。したがって、この例では、PSSおよび/またはSSSの第３の繰り返しは、PSSおよびSSSの少なくとも一つが配置されているOFDMシンボル内で変化してもよく、通信デバイスによってPCI値を識別するため、またはPCI値の検出を支援するために異なるセルにおいて異なっていてもよい。PSS/SSSの第３の送信が発見されるサブフレームnと連帯して、選択されるOFDMシンボル（複数可）は、通信デバイスがセルのPCIを検索しなければならない範囲をさらに減少させるために使用されることができ、PMDをさらに減少させることに役立つ、さらなるサブセットを提供する。例えば、サブフレームｎ=ｐにおいて第３のPSS/SSSの繰り返しを送信するように基地局１０１は構成されていることを考える。PSSは依然としてOFDMシンボル６（FDDにおいて）で生じることを指定することができるが、SSSはサブフレームｐの任意の他の適切なシンボルｓ内で生じてもよく、つまり、制御領域がそれらに拡張されていない（制御領域が存在する場合、それはつまりNCT上の場合ではないかもしれない）。通信デバイスは、SSSがこれらのシンボルのいずれかで送信される（ｎ＝ｐで表される限定されるセットの中から）かどうかを識別するため、そのようなすべてのシンボルを検索することが予想される。この例では、この値ｓは値pと共に、セルのPCI値が一部を形成する限定されるPCI値のセットを示す。シンボルｓ内でのSSSの値の誤検出の可能性を補正できることによって、PMDの改善は起こる、すなわち、通信デバイスが正しくSSSの存在を検出するが、候補シーケンスの中から誤って候補シーケンスのセット内にあるSSSを識別する。さらに候補値のセットを減らすことにより、これらの誤検出の一部を除去することができ、これにより誤検出PMDの確率を減少させる。
【００５６】
いくつかの実施形態では、（例えば）SSSの可動位置が基準信号（RS）と衝突する場合、サブフレームの内容に対してさらなる変更が必要かもしれない。解決策はSSSを空白にすることまたはRSを空白にすることを含む。特に関連するOFDMシンボル/サブフレームの組み合わせを試行する場合、高度な通信デバイスは、SSSが空白であることを認識するので、前者のオプションは後方互換性を維持するために良いかもしれず、一方後者のオプションは、高度な通信デバイスに対するSSSのパフォーマンスを維持することができるが、従来の通信デバイスに対するRSのパフォーマンスが低下する可能性がある。
【００５７】
別の例では、SSSの送信が、サブフレームｐ内のOFDMシンボルで全く生じないことがあってもよく、この欠如はさらなる限定される値のセットを作成するために使用することができる。他の例では、SSSの第３の繰り返しは、任意のサブフレームの任意のシンボルで生じることができ、つまり、PSSとSSSの追加の繰り返しが同じサブフレームであることは要求されない。追加の繰り返しが生じるサブフレームおよびシンボルは、その後、限定されるセットのインデックスを前述した手法と同じように共に提供することができる。これは明らかに、通信デバイスに対して非常に高い検索負荷を与えるであろうが、これは（上記のように）サブフレームｎ＝ｐにおいて、PSSの発生によって暗示される限定されたサブセット上でSSSのみ検索される必要があることに注目することによって制限される。SSSが生じることができるサブフレームのさらなる限定は、（また、従って、通信デバイスは検索することが予想される）同様の方法で作成することができる。
【００５８】
理解されるように、PSS/SSSの３回の繰り返しが送信される必要がないため、非同期NCTの例に対して、この実施例の実装はよりシンプルであってもよい。
【００５９】
上記の例から理解されるように、PSSが与えられたSSSの干渉検出は無線チャネルの干渉特性に応じることが可能であってもよい。より多くのOFDMシンボルによってPSSとSSSを分離することは、干渉検出の適用に影響を与える可能性がある。固定されていてもよいスマートユーティリティメーターのような、MTCデバイスの特定の場合において、無線チャネルの干渉が長くなることが予想され、よってこのようなデバイスは、この影響を許容することができる。
【００６０】
本実施形態では、最初とは異なり、PSSとSSSとの間のOFDMシンボルの関連は明らかに変更される。しかし、実施例のような場合、PSSは固定されたOFDMシンボルで送信され、このOFDMシンボルは依然としてTDDとFDDの間で異なり、通常のCPと拡張されたCPの間で異なり、そして通信デバイスは区別することができる。
【００６１】
＜複雑さを低減したOFDMシンボルホッピング＞
すべての候補OFDMシンボル内のすべての候補SSS（ただし、限定されたセットから）と受信信号との相関を必要とするので、本技法に従ってSSSを検索する通信デバイス内のコントローラによって実行されなければならない計算負荷は高くなる可能性がある。したがって、この例では、SSSは任意のOFDMシンボルで生じることができず、したがって、通信デバイスはいくつかのOFDMシンボルを検索する必要はないと想定することができる。いくつかのバリエーションが含まれ、
・可動PSSに基づくサブセットの限定を適用してSSSが生じるに違いないOFDMシンボルの代わりに、固定する。これは、候補PSSが３つのみなので、PMD低減にはるかに小さい利点を提供する可能性がある。
・例えばRRCを介して、PSS（第３の繰り返し）がOFDMシンボルｓで生じることを指定または設定し、そして任意のOFDMシンボルではなく、そのOFDMシンボルの所定のサブセット内でのみSSSを生じさせる。カバレッジが制限された通信デバイスは複数のeNBからの信号を物理的に受信できるが、その信号が非常に弱く、セルを補足することが困難である場合、これは有用であり得るシナリオである。したがって、このような通信デバイスは第１のセルおよびそのeNBを補足するために処理することができ、そして、RRCはそれぞれ他のセルに適用されるOFDMシンボル限定を備える通信デバイスを設定し、したがって通信デバイスのこれらのセルの補足を支援し、通信デバイスはRRMおよび干渉測定を行うことができ、それらのセルへのハンドオーバなどを準備する。
・PSSとSSS間のOFDMシンボル番号の特定の違いのみを許可するよう指定または設定し、つまり、シンボルｓｐで生じるPSSを発見する通信デバイスは、シンボルｓｓで生じるSSSはｒ＝（ｓｐ-ｓｓ）に対するいくつかの制限に従わなければならないことを想定することができる。たとえば、
（i）｜ｒ｜の最大値の制限
（ii）ｒは候補値の限定されるセットのみ取ること
（iii）ｒ＞０もしくはｒ＜０（ただし、ｒ＞０はPSSとSSSの従来の順序を逆にし、したがって、通信デバイスの実装の複雑さに影響を与えることに注意する）
【００６２】
理解されるように、本技法に従って適合された移動通信デバイスは、PSSまたはSSSの追加送信の相対的位置およびPSSおよび/またはSSSの相対的な時間的位置で示されるPCIグループのマッピングを提供されることができる。一例では、このマッピングはセルの無線アクセスインタフェースのPBCHを介して送信される。
【００６３】
＜PSS/SSSの複数回の追加の繰り返し＞
さらなる例において、無線フレーム内で任意の数の同期シーケンスの繰り返しが存在し得る。同期シーケンスがすべて検出されるサブフレームのジョイントセットが、本技法に従って追加の限定されたセットを作成するために使用することができる。例えば、PSS/SSSの第３の繰り返しがサブフレームｘで、第４の繰り返しがサブフレームｙにおいて生じることを考える。そして、ジョイントインデックス（ｘ、ｙ）は、上記の例においてインデックスｎを置き換える。ジョイントインデックス（ｘ、ｙ、ｚ）を生成するサブフレームｚ内の第５の繰り返しとして、この構成はさらなる繰り返しに拡張することができる。どちらの例においても、これらの追加の限定されたサブセットは、そのような各サブセットを第１の実施形態に比べて小さくなるようにでき、したがってさらにPMDを低減させることができる。
【００６４】
通信デバイスの検索要求を限定することによって、サブフレームの候補ペア（また、一般的には、セット）に対する限定を導入することができる。上述したOFDMシンボルのペアに対する議論の限定の本質は、この目的のために使用することができる。
【００６５】
＜アシストGPS＞
従来のアシストGPSにおいて、例えば（一般的な）セルラネットワークは、衛星軌道が所定の時刻とセルの位置を受信されることができることに関する情報を、モバイルデバイスに提供する。これは、モバイルデバイスの検索負荷を低減させ、いわゆる「初回測位時間」を大幅に減らすことができる。これは通信デバイスへの支援を提供するネットワークと同じくらい本開示といくつかの類似性があるが、第１の信号に関する支援情報は第１の信号のいくつかの固有の態様によって暗示的に搬送されるのではなく、第２の信号によって提供されるので、アシストGPSは従来技術と考えるべきではない。
【００６６】
＜移動通信システムの例＞
図９は適応されたLTE方式の移動通信システムの一部を示す概略図を提供する。カバレッジエリア（即ち、セル）１００４内の複数の通信デバイス１００２および複数の従来の通信デバイス１００３にデータを搬送する、コアネットワーク１００８に接続された適合された拡張ノードB（eNB）１００１をシステムは含む。それぞれの従来の通信デバイス１００３は、送受信部１００５と、移動通信ネットワークの他のセル内で、PSSおよびSSSを送信するために使用されるサブフレームと同じホストキャリアHCのサブフレームで送信されるPSSおよびSSSを検出するように構成されたコントローラ１００７と、を有する。適合された通信デバイス１００２は、上述したようにフレーム内の位置でセルごとに変化する同期シーケンスPSS/SSSを検出するように構成されている。PSS/SSSのフレーム内での時間的位置はPSS/SSSによっても搬送されるセル識別子（PCI）の指標を提供する。したがって適合された通信デバイスは、検出されたPSS/SSSとフレーム内で送信されるPSS/SSSの時間的位置により提供されるPCIの指標との組み合わせを用いて、PCIを推定するコントローラ１００７を含む。必要に応じて、基地局１００１は、ブロードキャストチャネル（PBCH）を用いて、PSS/ SSSの時間的位置とPSS/SSSの相対的な時間的位置が示すPCIまたはPCIのグループとの間の関係を示すマッピングを送信する。しかし他の例では、PCIまたはPCIのグループとPSS/SSSの時間的位置との間のマッピングは、デバイス１００２のデータ記憶装置１０１３に予め記憶されている。
【００６７】
例えば、図５から図９を参照して上述した無線アクセスインタフェースに応じてダウンリンクデータを送信するように、適合されたeNodeB１００１は構成されている。追加のPSS/SSSの送信をスケジュールし、またはセルに対するPCIを示すために、フレーム内のPSS/SSSの位置を変化させるように適応されたスケジューラの機能も実行する、コントローラ１０１１の制御下で送信機および受信機ユニット１００９は無線アクセスインタフェースを形成する。
【００６８】
本技術に応じる基地局またはeNB５０１、１００１の動作は、図１０のフロー図によって、一例が示され、以下のように要約される。
【００６９】
S２：図９を参照して上述し、また図５から９を参照して説明した実施形態のように、例えばeNodeBまたはより一般的にインフラ機器とすることができ、本技術に応じて適合された基地局は、無線アクセスインタフェースに応じて信号を送信および受信する。無線アクセスインタフェースは、時間的に分割され、複数のフレームを形成するホスト周波数帯域幅にわたって複数の通信リソースエレメントを提供する。
【００７０】
S４：必要に応じて、一例において、基地局によって送信される同期シーケンスの相対変位とフレーム内の同期シーケンスの時間的位置候補の各々によって表されるセル識別子（PCI）またはセル識別子のグループとの間のマッピングの指標を提供する仕様に応じて通信デバイスは動作できる。例として上で示したように、各部分が別々に送信される異なる部分を同期シーケンスは含んでもよい。LTE通信システムの例において、同期シーケンスは、プライマリ同期シーケンス（PSS）とセカンダリ同期シーケンス（SSS）を含む。したがって、セルに対するPCIのそれらの相対的な時間的位置から指標を提供されるために、フレーム内でPSS/SSSの時間的な位置は変えることができるという指標を、通信デバイスは提供される。例えばこれは、時間的位置による、PCIがメンバーを形成するグループの、指標とすることができる。
【００７１】
S６：本技法に従って適合された基地局は、候補同期シーケンスのセットの一つからのそれぞれであり、各々がセル識別子（PCI）の１つを識別する同期シーケンス（PSS/SSS）を無線アクセスインタフェースの一つ以上のサブフレームで送信する。LTEの例としては、上述したように、PSSはPCIの３つのグループの指標を提供し、SSSはグループ内のPCIを示す。したがって、フレーム内でSSSの位置を変えることができることによって、３つの異なる時間的位置は、PCIが３つのグループの１つに属することのみを確認される必要がある。したがって、PSSの検出に誤りがある場合でも、SSSの相対的な時間的位置は、PCIが一部を形成するグループ内の指標または確認を通信デバイスに提供する。
【００７２】
S８：そして通信デバイスによってセル識別子の推定を改善するために、同期シーケンス（PSS/SSS）は、セルのPCIの指標内で通信デバイスに提供し、検出された同期シーケンスと組み合わせることができる、フレーム内の時間的位置で送信される。
【００７３】
本技法に従って適合された通信デバイスによって実行されるそれぞれの動作において、図１１は通信デバイスによって実行されるプロセスの例示的な説明をフロー図の形で提供する。図１１のフロー図は以下のように要約される。
【００７４】
S１０：本技法に従って適合された通信デバイスは、基地局（インフラ機器）によって送信される同期シーケンスの予め決められたセットの一つとして、移動通信ネットワークの無線アクセスインタフェースを介して送信される同期シーケンスを検出する。
【００７５】
S１２：通信デバイスは、無線アクセスインタフェースのフレーム内で検出された同期シーケンスの相対的な時間的位置を識別する。相対的な時間的位置は、セルのセル識別子（PCI）またはセルのセル識別子が属するセル識別子（PCI）のグループの指標を提供する。
【００７６】
必要に応じて、一例では、同期シーケンスの時間的位置候補のそれぞれによって表されるフレーム内の同期シーケンスの相対変位とセル識別子（PCI）またはセル識別子（PCI）のグループとの間のマッピングは、通信デバイスのメモリに予め記憶されている。他の例では、このマッピングは、移動通信ネットワークから通信デバイスによって受信される。
【００７７】
S１６：そして通信デバイスは、例えば、同期シーケンスのフレーム内の相対的な時間的位置と、検出された同期シーケンス自体によって搬送されるセル識別子の値と、の組み合わせに基づいて、セル識別子（PCI）の推定を算出する。つまり、同期シーケンスの相対的な時間的位置で示されるPCIの値を組み合わせるまたは確認する、または相対的な時間的位置を使用して、セルに対するPCIが属するPCI値のグループを識別することによって、セルに対するPCIを通信デバイスが正しく検出する確率を高めることが可能である。例えば、同期シーケンスがPSSおよびSSSから構成されている場合に、PSSからPCIグループを検出すると、通信デバイスはSSSの相対的な時間的位置からPCIグループを確認することができる。SSSを検出すると、通信デバイスはPCIの確認されたグループ内のPCIを識別できる。
【００７８】
S１８：そして通信デバイスは、従来の構成に応じて、無線アクセスインタフェースを介して移動体通信ネットワークからデータを送信およびデータを受信するためにセル識別子（PCI）を使用する。しかし理解されるように、特に当該セルの基地局を通して、移動体通信ネットワークを介してデータを通信するために、通信デバイスはPCIを検出しなければならない。したがって、上記で説明した技術を使用してPCI値を正しく検出する可能性を向上させることは、誤ってPCIを検出する可能性を減少させる利点を提供し、したがって、捕捉時間の増加を減少させる。
【００７９】
さらなる本発明の多様な態様および特徴は、添付の特許請求の範囲に定義されている。請求項の従属性のために言及されている特定の組み合わせ以外は、従属請求項の特徴とそれらの独立請求項との多様な組み合わせがなされてもよい。本開示の実施形態は、LTEに関連して説明してきたが、他の実施形態はUMTSのような他の無線通信システムに用途を見出すことが理解されるであろう。
【００８０】
実施形態はPSSおよびSSSに言及するが、開示された方法は現在LTEで規定される同期シーケンスに限定されるものではなく、同じように他の同期シーケンスに適用することができる。例えば、そのような同期シーケンスは、NCTまたは将来に規定される他の新規のキャリアで定義されることができ、繰り返しの利点はさらに、新たな同期信号をパワーブーストさせるような技術を追加することによって増強することができる。
【００８１】
上述した実施形態のように、通信デバイスの処理負荷の一部の増加があるかもしれない。しかし、このような通信デバイスの好適な実施例は、従来の手順を使用して同期を達成することに失敗していると判断する場合のみ、本技術に応じて同期シーケンスの追加の繰り返しの検索を開始する。このように、処理負荷の増加は、それが提供する利点が明らかに必要とされる場合にのみ必要である。また、LTEリリース８のシステムにおいてさえも、通信デバイスがすでにFDDまたはTDDフレーム構造および通常のまたは拡張サイクリックプレフィックスと同様に５０４個のPCIを検索しなければならないので、PSS/SSSを取得する通信デバイスにおけるブラインドデコードの負荷レベルがある。移動通信ネットワークは、すべての無線フレーム内でPSS/SSSの追加の繰り返しを送信する必要はなく、それを行うときに高度な通信デバイスは利益を得るだろうが、それらが送信されないときはセルのデータ容量は大きくなる。スマートユーティリティメーターMTCの場合には、例えば、非MTCデバイスの数が夜間のような時間に減るので、このようなMTCデバイスが有効になるように構成される場合、本発明の追加のカバレッジ規定は夜間のみ有効にされるかもしれない。
【００８２】
＜参考＞
（１）R１-０７２０５０
（２）R１-１１２４６９
（３）PCT/GB２０１２/０５０２１３
（４）PCT/GB２０１２/０５０２１４
（５）PCT/GB２０１２/０５０２２３
（６）PCT/GB２０１２/０５１３２６
【図１】
0006400671.tif 000002
【図２】
0006400671.tif 000003
【図３】
0006400671.tif 000004
【図４】
0006400671.tif 000005
【図５】
0006400671.tif 000006
【図６】
0006400671.tif 000007
【図７】
0006400671.tif 000008
【図８】
0006400671.tif 000009
【図９】
0006400671.tif 000010
【図１０】
0006400671.tif 000011
【図１１】
0006400671.tif 000012